(57)【要約】【課題】ソフトを変更するだけで実現可能な追記型ディスクの記録データ符号をランダムな変えるための光ディスクの記録情報変調方法を提供する。【解決手段】光ヘッドを、ＤＶＤ−Ｒ／ＲＷ等の相変化型の追記可能な円盤状の光ディスク上に移動してレーザビームを照射して記録情報を記録するため、変調されて光ディスク１００上へ記録されるデータのうち、ＤＶＤ−Ｒ／ＲＷの変調データの先頭Ｓｙｎｃフレーム内における非記録部又は読み出し不可能部のデータの一部を、バッファメモリ５０３上で書き替えて記録データの符号をランダムに反転するため、反転回路や選択回路を必要とせず、ソフトを変更するだけで簡単に、記録データの符号の反転を実現可能する。【選択図】      図１
2004273002.tif 000002
【特許請求の範囲】
【請求項１】
光ヘッドを円盤状の光ディスク上に移動してレーザビームを照射して当該光ディスク上に記録情報を記録するための記録情報を変調するための記録情報変調方法であって、変調された記録情報のうち、当該光ディスク上への非記録部又は読み出し不可能部のデータの一部を書き替えて前記変調された記録情報の符号を反転することを特徴とする光ディスクの記録情報変調方法。
【請求項２】
前記請求項１に記載した光ディスクの記録情報変調方法において、前記光ディスクはＤＶＤ−Ｒ／ＲＷであり、かつ、前記データの一部の書き替えを、当該ＤＶＤ−Ｒ／ＲＷの変調データの先頭Ｓｙｎｃフレーム内のデータに対して行なうことを特徴とする光ディスクの記録情報変調方法。
【請求項３】
前記請求項２に記載した光ディスクの記録情報変調方法において、前記データの一部の書き替えを、さらに、当該ＤＶＤ−Ｒ／ＲＷの変調データの先頭Ｓｙｎｃフレーム内のＳｙｎｃより後ろ１６ｂｙｔｅ以内の領域のデータに行なうことを特徴とする光ディスクの記録情報変調方法。
【請求項４】
前記請求項１に記載した光ディスクの記録情報変調方法において、前記記録情報の変調にはエラー訂正符号の付与を含んでおり、かつ、前記データの一部の書き替えを、前記エラー訂正符号の付与の後に行なうことを特徴とする光ディスクの記録情報変調方法。
【請求項５】
前記請求項１に記載した光ディスクの記録情報変調方法において、前記光ディスク上への非記録部又は読み出し不可能部のデータの一部を、前記変調された記録情報の符号がランダムに反転するように書き替えることを特徴とする光ディスクの記録情報変調方法。
【請求項６】
光ヘッドを円盤状の光ディスク上に移動してレーザビームを照射し、当該光ディスク上に記録情報を記録又は再生する光ディスク情報記録／再生装置であって、少なくとも、当該装置を制御するためのマイクロプロセッサと、前記記録情報を格納するためのバッファメモリとを備えており、かつ、前記マイクロプロセッサは、前記請求項１〜５の何れかに記載した光ディスクの記録情報変調方法を実行するように構成されていることを特徴とする光ディスク情報記録／再生装置。
【請求項７】
光ヘッドを円盤状の光ディスク上に移動してレーザビームを照射し、当該光ディスク上に記録情報を記録又は再生する光ディスク情報記録／再生装置であって、少なくとも、当該装置を制御するためのマイクロプロセッサと、前記マイクロプロセッサ上で動作するプログラム・コードを格納するメモリ装置と、さらに、前記記録情報を格納するためのバッファメモリとを備えており、かつ、前記メモリ装置は、前記請求項１〜５の何れかに記載した光ディスクの記録情報変調方法を実行ためのプログラム・コードを備えていることを特徴とする光ディスク情報記録／再生装置。
【発明の詳細な説明】
【０００１】
【発明の属する技術分野】
本発明は、光ディスクへ各種の情報を記録又は再生するために記録情報を変調するための光ディスクの記録情報変調方法に関し、特に、記録薄膜材料の相変化を利用することにより情報を記録することの可能な相変化型の光ディスクに情報を記録／再生が可能な光ディスクの記録情報変調方法、及び、そのための光ディスク情報記録／再生装置に関する。
【０００２】
【従来の技術】
近年、光ディスクは、特に、大量の情報を記録可能な光学的情報記録媒体として広く採用されている。特に、マルチセッション記録が可能な光ディスクとして、例えば、ＤＶＤ−ＲやＤＶＤ−ＲＷ（以下、ＤＶＤ−Ｒ／ＷＲと記す）と呼ばれる追記型のディスクでは、利用者によるデータの書き込みが可能であり、画像情報等を含めて更に大量の情報が記録可能なことから、広く利用されてきている。
【０００３】
ところで、このような相変化により情報の記録が可能な相変化型の光ディスクでは、結晶又は非晶質の間で相転移を生じる光感光性の記録薄膜にレーザ光線等の高パワーの光ビームを照射することにより情報を記録するが、その場合、同一の記録データを繰り返してオーバーライトすると記録膜が劣化してしまい、情報を正しく記録することが出来なくなるという問題点がある。
【０００４】
かかる問題点は、例えば、以下に列挙する特許文献によって既に指摘されているところであり、また、上記の文献では、かかる問題点を回避するための種々の方法を提案している。
【０００５】
【特許文献１】
特開平９−２１９０２２号公報
【特許文献２】
特開２０００−７６６５７号公報
【特許文献３】
特開２０００−７６６５８号公報
【特許文献４】
特開２０００−１４９２７５号公報
【特許文献５】
特開２０００−１４９２７６号公報
【特許文献６】
特開２０００−１４９２７７号公報
【０００６】
例えば、上記の特許文献１では、一般的に、受信した記録データをメインバッファへ格納し、データのスクランブルを行なってＥＣＣ（エラー訂正符号）を付加し、例えば８／１６変調を行ない、その結果得られた変調データをレーザドライバへ出力して情報の書き込みを行なうが、かかる問題点を回避するため、変調データの出力時において、反転回路や選択回路を用いることによって記録データの符号を反転して記録することが示されている。
【０００７】
【発明が解決しようとする課題】
すなわち、上記の従来技術によれば、記録データのオーバーライトの繰返しによる記録膜の劣化を防止することが出来るが、しかしながら、記録データの符号を反転のためには、反転回路や選択回路が必要となり、そのため、例えば、かかる必要な回路素子を予めその内部に備えたＬＳＩが、即ち、予めかかる機能を備えたＬＳＩが必要となる。そのため、かかる記録データ符号の反転機能のないＬＳＩを搭載した光ディスク情報記録／再生装置では、かかる機能を容易に利用することが出来ないという問題点があった。
【０００８】
そこで、本発明では、上述した従来技術における問題点に鑑み、すなわち、反転回路や選択回路などの回路素子を予め内部に備えたＬＳＩを必要とすることなく、予めかかる機能を備えていない光ディスク情報記録／再生装置でも、容易に、記録データ符号の反転機能を付加することが可能な光ディスクの記録情報変調方法、及び、そのための光ディスク情報記録／再生装置を提供することを目的とするものである。
【０００９】
【課題を解決するための手段】
すなわち、本発明は、エンコード後の記録データのうち、特に、実際にはディスク上に記録されない領域のデータに着目し、これらのデータを、適宜、書き替えを行なうことにより、ディスク上に記録される記録データやそのＥＣＣに悪影響を及ぼすことなく、容易、かつ、安全に記録データの変調パターンを変える方法を提供するものであり、かつ、そのための光ディスク情報記録／再生装置を提供するものである。
【００１０】
より具体的には、本発明によれば、上述の課題を解決するため、まず、光ヘッドを円盤状の光ディスク上に移動してレーザビームを照射して当該光ディスク上に記録情報を記録するための記録情報を変調するための記録情報変調方法であって、変調された記録情報のうち、当該光ディスク上への非記録部又は読み出し不可能部のデータの一部を書き替えて前記変調された記録情報の符号を反転する光ディスクの記録情報変調方法が提供される。
【００１１】
なお、本発明では、前記に記載した光ディスクの記録情報変調方法において、前記光ディスクはＤＶＤ−Ｒ／ＲＷであり、かつ、前記データの一部の書き替えを、当該ＤＶＤ−Ｒ／ＲＷの変調データの先頭Ｓｙｎｃフレーム内のデータに対して行なうことが好ましく、さらには、当該ＤＶＤ−Ｒ／ＲＷの変調データの先頭Ｓｙｎｃフレーム内のＳｙｎｃより後ろ１６ｂｙｔｅ以内の領域のデータに行なうことが好ましい。
【００１２】
また、本発明では、前記に記載した光ディスクの記録情報変調方法において、前記記録情報の変調にはエラー訂正符号の付与を含んでおり、かつ、前記データの一部の書き替えを、前記エラー訂正符号の付与の後に行なうことことが好ましく、そして、前記光ディスク上への非記録部又は読み出し不可能部のデータの一部を、前記変調された記録情報の符号がランダムに反転するように書き替えることが好ましい。
【００１３】
加えて、本発明によれば、やはり、上記の目的を達成するため、光ヘッドを円盤状の光ディスク上に移動してレーザビームを照射し、当該光ディスク上に記録情報を記録又は再生する光ディスク情報記録／再生装置であって、少なくとも、当該装置を制御するためのマイクロプロセッサと、前記記録情報を格納するためのバッファメモリとを備えており、かつ、前記マイクロプロセッサは、前記に記載した光ディスクの記録情報変調方法を実行するように構成されている光ディスク情報記録／再生装置が提供されている。
【００１４】
さらに、本発明によれば、やはり、上記の目的を達成するため、光ヘッドを円盤状の光ディスク上に移動してレーザビームを照射し、当該光ディスク上に記録情報を記録又は再生する光ディスク情報記録／再生装置であって、少なくとも、当該装置を制御するためのマイクロプロセッサと、前記マイクロプロセッサ上で動作するプログラム・コードを格納するメモリ装置と、さらに、前記記録情報を格納するためのバッファメモリとを備えており、かつ、前記メモリ装置は、前記に記載した光ディスクの記録情報変調方法を実行ためのプログラム・コードを備えている光ディスク情報記録／再生装置が提供される。
【００１５】
【発明の実施の形態】
以下、本発明の実施の形態について、添付の図面を用いて詳細に説明する。
まず、添付の図２は、本発明の一実施の形態になる光ディスク情報記録／再生装置（以下、単に光ディスクドライブと称する）の概略的構成を示しており、そのブロックを参照しながら、以下に説明する。
【００１６】
この図２において、上位装置４００は、例えば、ホストコンピュータ等から構成された、所謂、光ディスク装置５００の上位装置である。この上位装置４００から発行された命令は、光ディスク装置５００を構成するインタフェース・コントローラ５０２で受け取り、マイクロプロセッサ５０４に伝えられる。このマイクロプロセッサ５０４は、高速のＩＣメモリである制御メモリ５０５を有する。また、この制御メモリ５０５には、上記マイクロプロセッサ５０４上で動作する、所謂、マイクロ・プログラム・コードが記録されている。
【００１７】
ここで、上位装置４００から発行された命令が記録要求である場合には、上記マイクロプロセッサ５０４は、上位装置５０１からインタフェース・コントローラ５０２を介して、バッファメモリ５０３へ、記録要求データを転送する操作を行う。
【００１８】
次に、上記光ディスク装置５００を構成するマイクロプロセッサ５０４は、記録回路５０６に対してエンコードを指示し、この記録回路５０６は、バッファメモリ５０３上で記録要求データエンコード処理を行う。そして、マイクロプロセッサ５０４は、記録回路５０６に対して、光ディスク媒体１００の所定の位置にエンコードを完了したデータの記録指示を行い、そこで、記録回路５０６は光ヘッド５０８を介して、上記光ディスク媒体１００の所定の位置にその記録を行う。
【００１９】
また、上位装置４００から発行された命令が再生要求である場合には、上記マイクロプロセッサ５０４は、再生回路５０７に対して、光ディスク媒体３０１の所定の位置からデータを再生する指示を行う。一方、再生回路５０７は、光ヘッド５０８を介して光ディスク媒体１００の所定の位置から再生したデータを、バッファメモリ５０３へ格納する。そして、再生したデータに誤りがある場合、再生回路５０７は誤り訂正を行う。次に、マイクロプロセッサ５０４は、バッファメモリ５０３からインタフェース・コントローラ５０２を介して上位装置４００へ、上記の再生データを転送する操作を行う。なお、以上の動作は、一般のドライブの動作と同様である。そして、上記光ヘッドの光ディスク上での移動は、上記マイクロプロセッサ５０４により、例えば、図示しないサーボ回路や送り機構部等を介して行なわれ、また、記録データの書き込みは、図示しないレーザドライバを介して行なわれることも、やはり、一般のドライブの動作と同様である。
【００２０】
次に、本発明の一実施の形態になる光ディスクドライブにおける、特に、記録情報変調方法について、添付図１の動作フロー図を参照しながら、以下に詳細に説明する。なお、この図１に示す動作フローは、上記図２の構成において、そのマイクロプロセッサ５０４により、制御メモリ５０５内に記録されたマイクロ・プログラム・コードの内容に従って行なわれるものであり、そして、図２に示すバッファメモリ５０３を利用しながら実行される。
【００２１】
まず、ＤＶＤの記録時の流れは、図１にあるように、ＡＴＡＰなどのインターフェースを介して記録データを受信し（図１▲１▼）、この記録データをメインバッファへであるバッファメモリ（図２の符号５０３を参照）へ格納する。その後、このメインバッファへ格納されたデータに対して、スクランブルを行う（図１▲２▼）。さらに、この記録データにＥＣＣ（エラー訂正符号）を付加する（図１▲３▼）。なお、ここまでは、一般的に行なわれている記録データ処理の流れである。
【００２２】
本発明によれば、上記図１▲３▼において記録データにＥＣＣを付加（図１▲４▼）した後に、上記メインバッファ上で、記録データの特定のバイトを書き替え（図１▲５▼）、その後、例えば、８／１６変調を行って変調データをレーザドライバへ出力し（図１▲６▼）、この変調データによってレーザドライバでレーザ発光する（図１▲７▼）。なお、本発明では、このような記録データ処理の流れにおいて、上記図１▲６▼に示す変調出力時において、記録パルスをランダムに反転する。
【００２３】
続いて、上記図１▲４▼に示す変調出力時における記録パルスのランダムな反転の原理について、添付の図３により説明する。
【００２４】
ＤＶＤにおける記録パルスの変調規則によれば、図３の上側に示すように、直前のデータがマークで終わったか、又は、スペースで終わったかにより、次のデータの開始パルスが決まる。そこで、本発明では、このＤＶＤの記録パルスの変調規則を利用することにより、より具体的には、図３の下側に示す通り、記録パルスの途中のデータを書き替えることで、それ以降のデータのマークとスペースとを反転させるものである。なお、この書き替えのデータは、例えば、上記図２の構成構成において、マイクロプロセッサ５０４の高周波数のタイマ値等を埋め込むことなどにより、ランダムなデータとすることが可能であり、これにより、それ以降の記録パルスをランタムに反転させることが可能となる。
【００２５】
次に、上記にその原理を説明した記録パルスのランダムな反転における、データの書き替えの位置について、以下に、添付の図４を参照しながら説明する。
【００２６】
なお、上述したように、本発明は、ＤＶＤ−Ｒ／ＲＷでは、変調されて出力される変調データには、ディスク上に実際には記録しないデータが存在することに着目してなされたものであり、変調出力前にこの記録しない部分のデータを書き替えることにより、実際に記録されるデータに悪影響を及ぼすことなく、変調パターンを変化させるものである。
【００２７】
これを詳細に説明すると、上記の図４において、特に、ＤＶＤ−Ｒ／ＲＷの場合、リンクブロックに着目する。すなわち、このリンクブロックには、実際に記録しないデータ、又は、たとえ記録してもその後に読めないデータが存在する点に着目する。すなわち、このデータの書き替えを行う位置は、ＤＶＤ−Ｒ／ＲＷの場合、そのリンク位置は、１ＥＣＣブロックの先頭のセクターの最初のＳｙｎｃフレーム（１Ｓｙｎｃフレーム）にある。
【００２８】
つまり、上記したＳｙｎｃの後方１６ｂｙｔｅのデータは、実際にはディスクに記録されない部分であり、又、先頭のＳｙｎｃも記録されない（非記録部）。また、その後方のデータも、たとえ記録しても読めないデータとなっている（読み出し不可能部）。そのため、この先頭のＳｙｎｃフレーム（１Ｓｙｎｃフレーム）は、その一部は記録されず、又、たとえ記録しても再生することができない。そこで、本発明では、８／１６変調を行って変調データにおいて、上記先頭のＳｙｎｃフレームのデータを書き替えることで、それ以降のデータのマークとスペースとを反転させる、すなわち、ランダムに反転させる。
【００２９】
なお、上記のデータの書き替えは、ＥＣＣの付加後に行われるため、ＥＣＣのコード自体には影響しない。また、データを書き換える位置は、先頭Ｓｙｎｃフレーム内であれば実害はない。また、Ｓｙｎｃより後ろ１６ｂｙｔｅ以内の領域のデータは、上述したようにディスク上に記録されないものであることから、データを書き換える位置として、特に好ましいであろう。
【００３０】
上記に詳細に説明したように、本発明によれば、光ヘッドにより光ディスク上へ記録されるデータに対し、通常の光ディスクドライブでも一般的に行なわれるＥＣＣの付加や変調が行なわれた後の変調データの段階において、やはり、通常の光ディスクドライブが備えるバッファメモリを利用して書き替えを行うことにより、上記記録データの符号のランダムな反転を実現している。すなわち、本発明になる光ディスクの記録情報変調方法によれば、上述した従来技術のような反転回路や選択回路を必要とせず、そのため、予めかかる機能を備えていない光ディスクドライブでも、その制御装置であるマイクロプロセッサ上で動作するマイクロ・プログラム・コードの一部を書き替えることとによって、容易に、実現することが可能となる。
【００３１】
また、かかるマイクロ・プログラム・コードの書き替えは、例えば、上記光ディスクドライブが接続される上位装置（図２を参照）により、例えば、光ディスクドライブの製作者がファームウェアとして供給して、マイクロ・プログラム・コードが格納される制御メモリ５０５に書き込むことにより可能であろう。
【００３２】
【発明の効果】
以上に詳細に説明したように、本発明になる光ディスクの記録情報変調方法によれば、変調データの記録されない部分（非記録部）、または、記録しても読めない部分（読み出し不可能部）のデータを、装置の制御部であるマイクロプロセッサとバッファメモリとを利用して書き替えることにより、記録データの符号のランダムな反転を実現しているため、所謂、ハード的な変更を伴うことなく、マイクロ・プログラム・コードなどのソフトを変更するだけで実現することが出来るため、かかる機能を有していない光ディスクドライブに対しても容易に適用することが出来るという、極めて実用的で優れた効果を発揮するものである。
【図面の簡単な説明】
【図１】本発明の一実施の形態になる光ディスク情報記録／再生装置における光ディスクの記録情報変調方法を示す動作フロー図である。
【図２】上記本発明の一実施の形態になる光ディスク情報記録／再生装置の概略構成を示すブロック図である。
【図３】本発明における記録パルスのランダムな反転の原理について説明する図である。
【図４】上記データの書き替えの位置について説明するため、ＤＶＤ−Ｒ／ＲＷの変調データのフォーマット構成の一例を示す図である。
【符号の説明】
１００  光ディスク（ＤＶＤ−Ｒ／ＲＷ）
５００  光ディスク装置
５０４  マイクロプロセッサ
５０５  制御メモリ
５０８  光ヘッド。
【図１】
2004273002.tif 000003
【図２】
2004273002.tif 000004
【図３】
2004273002.tif 000005
【図４】
2004273002.tif 000006